(57)【要約】【課題】芯金入りゴムクロ−ラの耳切れを防ぐと共に、ゴムクロ−ラの成形工程における未加硫ゴムの流動を阻害することのない芯金を提供することを目的とする。【解決手段】スプロケット係合部とこの両端に左右に広がる翼部とからなる芯金であって、翼部のゴムクロ−ラの内周側の表面を翼部の先端に向けて傾斜面とし、当該先端にゴムクロ−ラの内周側に膨出する断面丸型のリブを形成すると共に、膨出表面をほぼ水平に延長して前記傾斜面と交差させた耳切れを防止したゴムクロ−ラ用芯金。ａ‥ゴムクロ−ラの内周側、３‥芯金の翼部、３ａ‥翼部の傾斜面、７‥リブ、７ａ‥リブの膨出表面、７ｂ‥リブの膨出部の側面。【選択図】図３
2006193085.tif 000002
【特許請求の範囲】
【請求項１】
スプロケット係合部とこの両端に左右に広がる翼部とからなる芯金であって、翼部のゴムクロ−ラの内周側の表面を翼部の先端に向けて傾斜面とし、当該先端にゴムクロ−ラの内周側に膨出する断面丸型のリブを形成すると共に、膨出表面をほぼ水平に延長して前記傾斜面と交差させたことを特徴とする耳切れを防止したゴムクロ−ラ用芯金。
【請求項２】
膨出表面の水平の延長面が平面視で三角形状をなして傾斜面と交差した請求項１記載のゴムクロ−ラ用芯金。
【請求項３】
膨出表面の水平の延長面が平面視で湾曲形状をなして傾斜面と交差した請求項１記載のゴムクロ−ラ用芯金。
【発明の詳細な説明】
【技術分野】
【０００１】
本発明はゴムクロ−ラ用芯金に関し、更に言えば、いわゆるゴムクロ−ラの耳部の切断を防止した新規な芯金を提供するものである。
【背景技術】
【０００２】
従来より広く用いられているゴムクロ−ラの構造としては、無端状ゴム弾性体内に一定ピッチをもって多数横並べされた芯金と、スチ−ルコ−ドがこの芯金を外囲いして無端状ゴム弾性体の長手方向に埋設されている構造となっている。そして芯金はゴム弾性体の全幅には及ばない長さとされ、いわゆる無端状ゴム弾性体の左右両側はゴム材のみのいわゆる耳部を構成している。
【０００３】
従って、ゴムクロ−ラ全体とすればこの耳部が最も柔軟性に富んでいることから、ゴムクロ−ラの使われ方からみて耳部に最も変形歪が生じやすい構造となっている。例えば、ゴムクロ−ラが縁石等のエッジに接触したり乗り上げた場合には、芯金の先端部と縁石との間に耳部がはさまれることとなり、芯金が存在しない耳部の変形は著しく、この変形を繰り返すことによって芯金の先端部近傍にクラックが入ることとなる。
【０００４】
そしてこのクラックが入ると芯金を外囲いするスチ−ルコ−ドに沿いゴムクロ−ラの長手方向に向ってクラックが成長してしまう。さて、ゴムクロ−ラが縁石等に頻繁に接触する使用条件下を想定すると、場合によってはゴムクロ−ラの耳部がゴムクロ−ラの長手方向に沿って切断することともなる。
【０００５】
しかるに、かかる耳切れの防止を目的として芯金の構造を改良した技術はある（特許文献１）。かかる技術を述べれば、スプロケット係合部とこの両端に左右に広がる翼部とからなるゴムクロ−ラ用芯金にあって、翼部の先端に断面丸型のリブやゴムクロ−ラの内周側に向かう折曲部を形成した構造である。
【０００６】
【特許文献１】特開平１１−１０５７５４号公報
【０００７】
かかる芯金にあって、芯金の両端に接触するゴムに対して耳部の変形時に歪みの掛り具合が緩和されることによって耳切れの効果はもたらされることとなるが、これにも尚改良すべき課題もある。即ち、ゴムクロ−ラを製造する工程にあって、ゴムクロ−ラの外周形状を区画するモ−ルド内に掛る芯金をセットし、ここに未加硫ゴムを充填して芯金の周囲を覆い、これを加硫してゴムクロ−ラを成形する。
【０００８】
しかるにその際、未加硫ゴムを加熱し、これに流動化を起させてモ−ルド内を充填するものであるが、芯金の翼部の先端にリブや折曲部があると、未加硫ゴムの流動を阻害する壁のような役目をしてしまい、流動化不良によるゴムクロ−ラ表面に窪みができ、或いはゴムクロ−ラの内部に空洞が発生してしまうという欠点がある。
【発明の開示】
【発明が解決しようとする課題】
【０００９】
本発明は耳切れの発生を低減すると共に、ゴムクロ−ラの成形工程における未加硫ゴムの流動を阻害することのない芯金を提供することを目的とするものである。
【課題を解決するための手段】
【００１０】
本発明の要旨は、スプロケット係合部とこの両端に左右に広がる翼部とからなる芯金であって、翼部のゴムクロ−ラの内周側の表面を翼部の先端に向けて傾斜面とし、当該先端にゴムクロ−ラの内周側に膨出する断面丸型のリブを形成すると共に、膨出表面をほぼ水平に延長して前記傾斜面と交差させたことを特徴とする耳切れを防止したゴムクロ−ラ用芯金であって、好ましくは、膨出表面の水平の延長面が平面視で三角形状或いは湾曲形状をなして傾斜面と交差した芯金である。
【発明の効果】
【００１１】
上記の構成を有する発明にあって、流動化した未加硫ゴムは膨出部の表面を流れるためにリブによって流動を遮られることはなく、しかも膨出部の形状が平面視で三角形状或いは湾曲形状をなしているため、膨出部の表面より外れた未加硫ゴムはその側面を伝って耳部側に抵抗なく流れることとなるのでゴムクロ−ラの成形時の欠点が解消されることとなったものである。
【発明を実施するための最良の形態】
【００１２】
本発明は上記のような構成を持つゴムクロ−ラ用芯金であり、芯金の翼部の先端に工夫をもたらし、耳切れを防止し、しかもゴムクロ−ラの成形時の欠点をも改良した芯金が提供できたものである。
【００１３】
本発明の芯金は翼部の先端に工夫をこらしたものであり、その第１は翼部の先端にゴムクロ−ラの内周側に膨出する断面丸型のリブを形成したためにゴム材との接触面積が大きくなり接着強度が増すと共に剪断力が集中せず、クラックの発生が低減されることになったものであり、その第２は、翼部の先端のリブの膨出表面を平面視で三角形状或いは湾曲形状に形成して翼部の傾斜面と交差させたことから、ゴムの流動を遮ることがなくなったものであり、成形時の流動不良による欠点が生じなくなったものである。
【００１４】
尚、本発明にあっては、リブの膨出表面をほぼ水平に延長したものであり、若干の傾斜があっても本発明の範疇に含まれることは言うまでもない。更に、翼部に先端に向けて立リブが形成されている構造のものがあるが、この場合には前記膨出表面をこのリブ表面と交差させることで十分であり、翼部先端のリブによって未加硫ゴムの流動性を阻害しなければよい。
【実施例】
【００１５】
以下、本発明の芯金を図面をもって更に詳細に説明する。図１は本発明の芯金の第１例Ａを示す内側平面図、図２は図１の側面図、図３は図１の一部拡大斜視図である。図中、符号１は芯金Ａのスプロケット係合部であり、この左右に翼部２、３が形成されており、このスプロケット係合部１をはさんで一対の角部４、５が前後に千鳥状に配列されている。そして芯金１の翼部２、３はその先端に向けて漸次背丈を低くする傾斜面２ａ、３ａをもって形成され、その先端には断面丸型のリブ６、７がゴムクロ−ラの内周側（ａ）に向けて膨出して形成されている。
【００１６】
そして、ゴムクロ−ラの内周側（ａ）に向けて膨出されたリブ６、７の膨出表面６ａ、７ａは平面視で略三角形状をなし、これがほぼ水平に延長され、前記の傾斜面２ａ、３ａと交差するものである。
【００１７】
上記した本発明の芯金Ａにあっては、この芯金Ａを埋設するゴムクロ−ラの耳部は芯金Ａの翼部２、３の先端に丸型のリブ６、７が形成されていることから、両者の接着面積は広く、かつ鋭利な接触部位もないため接着強度が増し、かつ縁石とはさまれた際にも丸型のリブ６、７が形成されているため、剪断力がゴム材（耳部）に集中することなく、従ってクラックの発生及びこれに基づく耳切れを低減することとなるものである。
【００１８】
更に、かかる芯金Ａをモ−ルド内にセットしてゴムクロ−ラを成形する際、流動化したゴムは通常は翼部２、３の先端側に向けて傾斜面２ａ、３ａ面を流れることとなるが、この傾斜面２ａ、３ａに連なって膨出表面６ａ、７ａ上を流れることとなり、リブ６、７が存在するにもかかわらずその流れを阻害することはない。そして、膨出表面６ａ、７ａから外れたゴムであっても、膨出部の側面６ｂ、７ｂに添って流れるのでこれ又流動を阻害することがなくなるものであり、従来のような流動化を阻害することによるゴムクロ−ラに生じる欠点が解消できたものである。
【００１９】
この芯金Ａの具体的な形状としては、例えば翼部２、３の先端間の長さ２９０ｍｍ、幅３０ｍｍ、角部４、５間のスプロケット係合部１は４６ｍｍ、底部からの高さ２７ｍｍ、これに続く翼部２、３の先端までの長さは１２２ｍｍである。そしてこの翼部２、３の先端近傍の厚さは約３．５ｍｍであり、内周側が緩やかな傾斜面２ａ、３ａをなしている。そして、翼部２、３の先端に半径５ｍｍのリブ６、７が芯金の幅方向に形成されている。従って、リブ６、７の内周側への膨出部は高さが約６．５ｍｍであり、膨出表面６ａ、７ａは高さ６．５ｍｍをもって水平に延長して傾斜面２ａ、３ａと交差するものである。尚、角部４、５は頂部の幅１５ｍｍ、底部からの高さ５０ｍｍである。
【００２０】
図４は本発明の芯金の第２例Ｂを示す図３と同様の斜視図である。図中、符号１〜７は前例で説明したと同じであり、ここでは説明を省略する。さて、この例では膨出表面６ａ、７ａが平面視で略楕円形をなしており、これが水平方向に伸びて傾斜面２ａ、３ａと交差している例である。
【産業上の利用可能性】
【００２１】
本発明は以上の通りであり、ゴムクロ−ラ中に芯金を埋設した構造の全ての芯金に適用可能であり、その利用範囲は極めて広範である。
【図面の簡単な説明】
【００２２】
【図１】図１は本発明の芯金の第１例Ａを示す内側平面図である。
【図２】図２は図１の側面図である。
【図３】図３は図１の一部拡大斜視図である。
【図４】図４は本発明の芯金の第２例Ｂを示す図３と同様の一部拡大斜視図である。
【符号の説明】
【００２３】
Ａ、Ｂ‥本発明の芯金、
ａ‥ゴムクロ−ラの内周側、
１‥スプロケット係合部、
２、３‥翼部、
２ａ、３ａ‥翼部の傾斜面、
４、５‥角部、
６、７‥リブ、
６ａ、７ａ‥リブの膨出表面、
６ｂ、７ｂ‥リブの膨出部の側面
【図１】
2006193085.tif 000003
【図２】
2006193085.tif 000004
【図３】
2006193085.tif 000005
【図４】
2006193085.tif 000006